(57)【特許請求の範囲】
【請求項１】
カテゴリーが設定された複数のイベントを管理するためのイベント管理システムであって、
前記複数のイベントに関するイベント情報を登録可能なイベント情報データベースと、
前記イベント情報データベースにアクセス可能に構成された管理サーバと、
ネットワークを介して前記管理サーバとの間で通信可能に構成された複数のユーザ端末と、
を備え、
前記イベント情報データベースは、各イベントのカテゴリー、予定日、上限人数、申込人数及び申込済ユーザ識別情報を前記イベント情報として登録可能に構成されており、
前記複数のユーザ端末には、それぞれ、イベント管理アプリケーションがインストールされており、
前記複数のユーザ端末のうち一のユーザ端末は、前記イベント管理アプリケーションを実行し、
所望のカテゴリーを選択するための選択画面を表示し、
前記選択画面の中から特定カテゴリーが選択されると、前記特定カテゴリーが設定された少なくとも１つのイベントのイベント情報を前記管理サーバに要求し、
前記管理サーバは、前記少なくとも１つのイベントのイベント情報を前記イベント情報データベースから取得して前記一のユーザ端末に送信し、
前記一のユーザ端末は、
前記少なくとも１つのイベント情報に基づいて、前記少なくとも１つのイベントの予定日にイベント開催を示すアイコンが配置されたカレンダー画面を表示し、
前記カレンダー画面を介して前記少なくとも１つのイベントの中から一のイベントへの申し込みが受け付けられると、前記一のイベントへの申込要求とユーザ識別情報とを前記管理サーバに送信し、
前記管理サーバは、前記一のユーザ端末からの前記一のイベントへの申込要求に応答して、前記イベント情報データベース内の前記一のイベントの申込人数を更新すると共に、前記イベント情報データベース内の前記一のイベントの前記申込済ユーザ識別情報に前記ユーザ識別情報を追加することを特徴とするイベント管理システム。
【請求項２】
前記管理サーバは、前記イベント情報データベースに新規のイベントに関するイベント情報が登録されると、前記複数のユーザ端末の各々に新規のイベントが追加されことをプッシュ通知によって報知することを特徴とする請求項１に記載のイベント管理システム。
【請求項３】
前記イベント管理アプリケーションを利用する複数のユーザに関するユーザ情報を登録可能なユーザ情報データベースを更に備え、
前記ユーザ情報データベースは、各ユーザのユーザ識別情報、性別及び年齢を前記ユーザ情報として登録可能に構成されており、
前記イベント情報データベースは、各イベントの性別指定及び年齢制限を前記イベント情報として更に登録可能であり、
前記管理サーバは、
前記一のユーザ端末から受信した前記一のイベントへの申込要求に応答して、前記一のユーザ端末から受信した前記ユーザ識別情報を含むレコードの性別及び年齢を前記ユーザ情報データベースから取得し、
前記イベント情報データベース内の前記一のイベントの性別指定及び年齢制限を参照し、前記レコードの性別及び年齢が前記一のイベントの性別指定及び年齢制限の双方を満たすか否かを判断し、
前記レコードの性別及び年齢が前記一のイベントの性別指定及び年齢制限の双方の条件を満たすと判断したことを条件として、前記イベント情報データベース内の前記一のイベントの申込人数を更新すると共に、前記イベント情報データベース内の前記一のイベントの前記申込済ユーザ識別情報に前記ユーザ識別情報を追加することを特徴とする請求項１又は２に記載のイベント管理システム。
【請求項４】
前記管理サーバは、前記レコードの性別及び年齢が前記一のイベントの性別指定及び年齢制限の双方の条件を満たすと判断したことを条件として、申込許可通知を前記一のユーザ端末に送信し、
前記ユーザ端末は、前記申込許可通知に応答して、申込完了画面を表示することを特徴とする請求項３に記載のイベント管理システム。
【請求項５】
前記管理サーバは、前記一のレコードの性別及び年齢が前記一のイベントの性別指定又は年齢制限の条件を満たさない場合には、申込不可通知を前記一のユーザ端末に送信し、
前記ユーザ端末は、前記申込不可通知に応答して、申込不可画面を表示することを特徴とする請求項３に記載のイベント管理システム。
【発明の詳細な説明】
【技術分野】
【０００１】
本発明は、イベント事業者が複数のイベントを管理するためのイベント管理システムに関する。
【背景技術】
【０００２】
従来、スケジュールを管理するための技術が各種提案されている。例えば、特許文献１に記載のスケジュール管理システムでは、管理対象のスケジュールデータ毎に、スケジュールデータにより特定されるイベントの通知タイミングの到来を監視すること、イベントの参加予定者各々の参加可否状況を示す参加可否管理データを公開し、通知タイミングが到来したイベントの参加予定者各々に割り当てられた内線電話機に当該イベントの開催を通知することが記載されている。また、主装置を介してこれらの内線電話機からイベントへの参加可否を取得し、取得した参加可否に基づいて、このイベントの参加予定者各々の参加可否状況を示す参加可否管理データを更新すること等も記載されている。
【先行技術文献】
【特許文献】
【０００３】
【特許文献１】特許６３６１７７４号公報
【発明の概要】
【発明が解決しようとする課題】
【０００４】
ところで、イベントを企画運営するイベント事業者においては、開催されるイベントの参加率を向上させることが喫緊の課題である。これに対し、本願の発明者は、会員が開催予定のイベントの存在をリアルタイムに把握しつつ、所望のイベントへの参加申込を手軽に行えることが好ましいと考えた。
【０００５】
しかし、上述した特許文献１を含む従来のスケジュール管理方法の中には、会員が開催予定のイベントの存在をリアルタイムに把握しつつ、所望のイベントへの参加申込を手軽に行える技術は見当たらなかった。
【０００６】
そこで本発明は、会員が開催予定のイベントの存在をリアルタイムに把握しつつ、所望のイベントへの参加申込を手軽に行うことが可能なイベント管理システムを提供することを目的とする。
【課題を解決するための手段】
【０００７】
上記目的を達成するために、本発明は、カテゴリーが設定された複数のイベントを管理するためのイベント管理システムであって、前記複数のイベントに関するイベント情報を登録可能なイベント情報データベースと、前記イベント情報データベースにアクセス可能に構成された管理サーバと、ネットワークを介して前記管理サーバとの間で通信可能に構成された複数のユーザ端末と、を備え、前記イベント情報データベースは、各イベントのカテゴリー、予定日、上限人数、申込人数及び申込済ユーザ識別情報を前記イベント情報として登録可能に構成されており、前記複数のユーザ端末には、それぞれ、イベント管理アプリケーションがインストールされており、前記複数のユーザ端末のうち一のユーザ端末は、前記イベント管理アプリケーションを実行し、所望のカテゴリーを選択するための選択画面を表示し、前記選択画面の中から特定カテゴリーが選択されると、前記特定カテゴリーが設定された少なくとも１つのイベントのイベント情報を前記管理サーバに要求し、前記管理サーバは、前記少なくとも１つのイベントのイベント情報を前記イベント情報データベースから取得して前記一のユーザ端末に送信し、前記一のユーザ端末は、前記少なくとも１つのイベント情報に基づいて、前記少なくとも１つのイベントの予定日にイベント開催を示すアイコンが配置されたカレンダー画面を表示し、前記カレンダー画面を介して前記少なくとも１つのイベントの中から一のイベントへの申し込みが受け付けられると、前記一のイベントへの申込要求とユーザ識別情報とを前記管理サーバに送信し、前記管理サーバは、前記一のユーザ端末からの前記一のイベントへの申込要求に応答して、前記イベント情報データベース内の前記一のイベントの申込人数を更新すると共に、前記イベント情報データベース内の前記一のイベントの前記申込済ユーザ識別情報に前記ユーザ識別情報を追加することを特徴とするイベント管理システムを提供している。
【０００８】
ここで、前記管理サーバは、前記イベント情報データベースに新規のイベントに関するイベント情報が登録されると、前記複数のユーザ端末の各々に新規のイベントが追加されことをプッシュ通知によって報知するのが好ましい。
【０００９】
また、前記イベント管理アプリケーションを利用する複数のユーザに関するユーザ情報を登録可能なユーザ情報データベースを更に備え、前記ユーザ情報データベースは、各ユーザのユーザ識別情報、性別及び年齢を前記ユーザ情報として登録可能に構成されており、前記イベント情報データベースは、各イベントの性別指定及び年齢制限を前記イベント情報として更に登録可能であり、前記管理サーバは、前記一のユーザ端末から受信した前記一のイベントへの申込要求に応答して、前記一のユーザ端末から受信した前記ユーザ識別情報を含むレコードの性別及び年齢を前記ユーザ情報データベースから取得し、前記イベント情報データベース内の前記一のイベントの性別指定及び年齢制限を参照し、前記レコードの性別及び年齢が前記一のイベントの性別指定及び年齢制限の双方を満たすか否かを判断し、前記レコードの性別及び年齢が前記一のイベントの性別指定及び年齢制限の双方の条件を満たすと判断したことを条件として、前記イベント情報データベース内の前記一のイベントの申込人数を更新すると共に、前記イベント情報データベース内の前記一のイベントの前記申込済ユーザ識別情報に前記ユーザ識別情報を追加するのが好ましい。
【００１０】
また、前記管理サーバは、前記レコードの性別及び年齢が前記一のイベントの性別指定及び年齢制限の双方の条件を満たすと判断したことを条件として、申込許可通知を前記一のユーザ端末に送信し、前記ユーザ端末は、前記申込許可通知に応答して、申込完了画面を表示するのが好ましい。
【００１１】
更に、前記管理サーバは、前記一のレコードの性別及び年齢が前記一のイベントの性別指定又は年齢制限の条件を満たさない場合には、申込不可通知を前記一のユーザ端末に送信し、前記ユーザ端末は、前記申込不可通知に応答して、申込不可画面を表示するのが好ましい。
【発明の効果】
【００１２】
本発明によれば、少なくとも１つのイベントの予定日にイベント開催を示すアイコンが配置されたカレンダー画面が表示され、当該カレンダー画面を介して一のイベントへの申し込みが受け付けられる。そのため、会員が開催予定のイベントの存在をリアルタイムに把握しつつ、所望のイベントへの参加申込を手軽に行うことが可能である。
【図面の簡単な説明】
【００１３】
【図１】実施形態に係るイベント管理システムの概略構成を示す図。
【図２】ユーザ情報データベースを示す図。
【図３】イベント情報データベースを示す図。
【図４】ユーザ端末と管理サーバとの間のやりとりを示すシーケンス図。
【図５】イベント管理アプリケーションのホーム画面を示す図。
【図６】プルダウンメニューの表示形態を示す図。
【図７】イベント管理アプリケーションのイベント一覧画面を示す図。
【図８】イベントの詳細画面を示す図。
【図９】イベントの申込完了画面を示す図。
【図１０】イベントの申込不可画面を示す図。
【発明を実施するための形態】
【００１４】
＜１．実施形態＞
以下、図１から図１０を参照しつつ、本発明の実施形態によるイベント管理システムを詳細に説明する。具体的には、本発明のイベント管理システムの一例として、図１に示すイベント管理システム１を例にとって説明する。
【００１５】
図１に示すように、イベント管理システム１は、管理サーバ１０と、ユーザ情報データベース１１と、イベント情報データベース１２と、複数のユーザ端末２０（２０Ａ，２０Ｂ，２０Ｃ，…）とを備えて構成される。
【００１６】
管理サーバ１０は、ユーザ情報データベース１１及びイベント情報データベース１２にそれぞれ接続されており、双方にアクセスすることが可能である。
【００１７】
管理サーバ１０は、公知のサーバ装置と同様のハードウェア構成を備えている。具体的には、管理サーバ１０は、プロセッサ、プロセッサのワークエリア等として機能するＲＡＭ（Random Access Memory）、プロセッサが実行する制御プログラムやデータを格納するＲＯＭ（Read Only Memory）を備えている。
【００１８】
また、管理サーバ１０には、ネットワークインタフェース、モニタ、入力デバイス、及び補助記憶装置なども設けられている。
【００１９】
管理サーバ１０の各機能は、上述したハードウェアやプロセッサにおいて実行されるプログラムによって実現される。
【００２０】
各ユーザ端末２０（２０Ａ，２０Ｂ，２０Ｃ，…）は、通信ネットワークＮＷを介して管理サーバ１０に接続されており、管理サーバ１０との間でネットワーク通信を行うことが可能である。
【００２１】
管理サーバ１０は、ＬＡＮケーブルを介して通信ネットワークＮＷに有線接続されている。一方、各ユーザ端末２０は、Ｗｉ−Ｆｉ（登録商標）によって通信ネットワークＮＷに無線接続されている。
【００２２】
各ユーザ端末２０は、公知のスマートフォン等と同様のハードウェア構成を備える。ユーザ端末２０は、プロセッサ、プロセッサのワークエリア等として機能するＲＡＭ、プロセッサが実行する制御プログラムやデータを格納するＲＯＭを備えている。
【００２３】
また、ユーザ端末２０には、ユーザに対して各種情報を表示する表示装置およびユーザが操作する入力装置として機能するタッチパネル、及び各種情報及びデータを記憶する補助記憶装置なども設けられている。
【００２４】
さらに、ユーザ端末２０には、ＯＳ（Operating System）上で動作するイベント管理アプリケーションＡＰがインストールされている。イベント管理アプリケーションＡＰは、各種イベントを企画運営するイベント事業者により会員に提供されるアプリケーションである。イベント管理アプリケーションＡＰは、開催予定の各種イベントを閲覧したり、所望のイベントへの参加を申し込みしたりするのに用いられる。
【００２５】
イベント管理アプリケーションＡＰの利用に先立って、各会員は、イベント管理アプリケーションＡＰの初回起動時に図示しないユーザ登録画面を介してユーザ登録（会員登録）を行う必要がある。ユーザ登録画面において入力された会員の情報（ユーザ情報）は、ユーザ端末２０から管理サーバ１０に送信される。管理サーバ１０は、ユーザ端末２０から受信したユーザ情報を新規のユーザ情報としてユーザ情報データベース１１（図２参照）に登録する。
【００２６】
図２に示すように、ユーザ情報データベース１１には、各会員のユーザ情報がレコードＲＣ１１，ＲＣ１２，・・・として記録される。各レコードのフィールド（入力項目）としては、「ユーザＩＤ」、「性別」、「年齢」及び「氏名」が用意されている。上述したように、ユーザ情報データベース１１には、ユーザ端末２０においてユーザ登録が行われる都度、新規ユーザに関するユーザ情報のレコードが追加される。
【００２７】
イベント事業者が管理するイベントに関する情報（イベント情報）は、管理サーバ１０によってイベント情報データベース１２に登録される。
【００２８】
図３に示すように、イベント情報データベース１２は、イベント毎にレコードが記録される仕様になっている。イベント情報データベース１２には、各レコードのフィールド（入力項目）として「イベントＩＤ」、「カテゴリー」、「予定日」、「上限人数」、「申込人数」、「性別指定」、「年齢制限」及び「申込済ユーザＩＤ」が用意されている。イベント情報データベース１２には、新規イベントが発生する都度、当該新規イベントに関するイベント情報のレコードが追加される。
【００２９】
本実施形態では、イベント事業者が自ら企画運営するイベントに関する情報がイベント情報データベース１２に記録されている。
【００３０】
続いて、図４のシーケンス図を参照しながら、管理サーバ１０と特定のユーザ端末２０との間のやりとりについて説明する。
【００３１】
ユーザ端末２０のタッチパネルを介してイベント管理アプリケーションＡＰに対応するアイコン（不図示）が選択されると、ユーザ端末２０は、イベント管理アプリケーションＡＰを起動する（ステップＳ１）。これに伴い、ユーザ端末２０は、ホーム画面ＧＡ１（図５参照）をタッチパネルに表示する（ステップＳ２）。
【００３２】
図５に示すように、ホーム画面ＧＡ１は、プルダウンメニューＰＤと、その下側に配置されるカレンダーＣＡとを備えて構成される。
【００３３】
プルダウンメニューＰＤは、所望のイベントカテゴリーをユーザに選択させるためのものであり、本発明に係る選択画面の一例である。プルダウンメニューＰＤがユーザによって操作されると、図６に示すように、予め登録されたイベントカテゴリーが上から下に向けて列挙される。
【００３４】
図５に示すように、カレンダーＣＡは、日曜始まりの月別カレンダーであり、本発明に係るカレンダー画面の一例である。なお、ホーム画面起動時（初期状態）では、今月のカレンダーが表示されるように標準設定されている。カレンダーＣＡにおいて、グレー表示されている部分（２０１９年６月１０日）は本日に相当する。また、カレンダーＣＡの下部には、カレンダー表示を前月（５月）又は次月（７月）に切り替えるための切り替えキーが設けられている。
【００３５】
列挙されたイベントカテゴリーの中から特定カテゴリー（例えば「婚活イベント」）が選択されると、ユーザ端末２０は、当該特定カテゴリーが設定されたイベントのイベント情報を管理サーバ１０に要求する（ステップＳ３）。
【００３６】
これに対して、管理サーバ１０は、イベント情報データベース１２にアクセスし、特定カテゴリーに一致するレコードをすべて抽出し、抽出されたすべてのレコードを特定カテゴリーが設定されたイベントのイベント情報として取得する（ステップＳ４）。
【００３７】
例えば、特定カテゴリーが「婚活イベント」の場合、管理サーバ１０は、フィールド「カテゴリー」に「婚活」が入力されているレコードをすべて抽出する。同様に、特定カテゴリーが「草野球イベント」の場合、管理サーバ１０は、フィールド「カテゴリー」に「草野球」が入力されているレコードをすべて抽出する。
【００３８】
そして、管理サーバ１０は、ステップＳ４において取得したイベント情報（抽出されたすべてのレコードの情報）をユーザ端末２０に送信する（ステップＳ５）。例えば、特定カテゴリーが「婚活イベント」の場合、管理サーバ１０は、レコードＲＣ２２，ＲＣ２４の情報をユーザ端末２０に送信する。
【００３９】
ユーザ端末２０は、管理サーバ１０から受信したイベント情報に基づいて、特定カテゴリー（例えば「婚活イベント」）のイベントの予定日を特定する。ここでは、ユーザ端末２０は、レコードＲＣ２２，ＲＣ２４の情報から「婚活イベント」の予定日として２０１９年６月２２日と２０１９年６月３０日とを特定するものとする。
【００４０】
そして、図７に示すように、ユーザ端末２０は、イベントの予定日（２０１９年６月２２日及び２０１９年６月３０日）にハートのアイコンを配置したカレンダーＣＡを含むイベント一覧画面ＧＡ２をタッチパネルに表示する。ここで、ハートのアイコンは、「婚活イベント」のイベント開催を示すアイコンであり、本発明に係る「イベント開催を示すアイコン」の一例である。なお、イベント一覧画面ＧＡ２においては、プルダウンメニューＰＤにはユーザによって選択された特定カテゴリー（ここでは、「婚活イベント」）が表示されている。
【００４１】
図７に示すように、イベント一覧画面ＧＡ２のカレンダーＣＡにおいて、例えば、２０１９年６月２２日のアイコンが選択されたとする。その場合、図８に示すように、ユーザ端末２０は、管理サーバ１０から受信したイベント情報（詳細には、レコードＲＣ２２の情報）に基づいて、２０１９年６月２２日に開催されるイベントの詳細画面ＧＡ３をタッチパネルにポップアップ表示する。
【００４２】
詳細画面ＧＡ３には、管理サーバ１０から受信したイベント情報に基づいて、婚活イベントの日時、場所、年齢制限、参加上限人数及び現在の申込人数が表示されると共に、参加を申し込むため申込ボタンが表示されている。
【００４３】
詳細画面ＧＡ３の申込ボタンが押下されると、ユーザ端末２０は、２０１９年６月２２日開催予定のイベントに対する申込要求及びユーザＩＤを管理サーバ１０に送信する（ステップＳ７）。
【００４４】
管理サーバ１０は、ユーザ端末２０からの申込要求に応答して、イベントへの申込可否を判断する処理を実行する（ステップＳ８）。
【００４５】
具体的には、管理サーバ１０は、ユーザ端末２０から受信したユーザＩＤを含むレコードの性別及び年齢をユーザ情報データベース１１から取得する。例えば、ユーザＩＤが「０００５」である場合には、管理サーバ１０は、レコードＲＣ１５（図２参照）の性別（女）及び年齢（３８）をユーザ情報データベース１１から取得する。
【００４６】
次に、管理サーバ１０は、申込要求が受け付けられたイベント（２０１９年６月２２日に開催される婚活イベント）に対応するレコードＲＣ２２（図３参照）の性別指定及び年齢制限を参照する。そして、管理サーバ１０は、図２に示すレコードＲＣ１５の性別及び年齢が図３に示すレコードＲＣ２２の性別指定及び年齢制限の双方を満たすか否かを判断する。今回の例では、図３のレコードＲＣ２２に示すように、性別指定は存在せず、年齢制限は２０歳未満である。よって、管理サーバ１０は、図２に示すレコードＲＣ１５の性別（女）及び年齢（３８）が図３に示すレコードＲＣ２２の性別指定及び年齢制限の双方を満たすと判断する。そして、管理サーバ１０は、レコードＲＣ２２の申込人数を「８」から「９」に更新すると共に、申込済ユーザＩＤにユーザＩＤ「０００５」を新たに追加する。
【００４７】
この後、管理サーバ１０は、イベントへの申込が完了した旨を通知する申込完了通知をユーザ端末２０に送信する（ステップＳ９）。ユーザ端末２０は、申込完了通知を管理サーバ１０から受信すると、図９に示すように、カレンダーＣＡの下側にイベントの申し込みが完了した旨を記載した申込完了画面ＧＡ４をタッチパネルに表示する（ステップＳ１０）。
【００４８】
なお、申込完了画面ＧＡ４では、カレンダーＣＡにおいて申込が完了したイベントの予定日に表示されるアイコンが白抜きから黒の塗りつぶしに変更される。これにより、ユーザは、２０１９年６月２２日開催の婚活イベントに参加予定であることを容易に把握することが可能である。
【００４９】
他方、図２に示すユーザＩＤ「０００３」のユーザが２０１９年６月２２日に開催される婚活イベント申し込みを行った場合には、当該ユーザの年齢（１５歳）が当該婚活イベントの年齢制限（２０歳未満）を満たさない。
【００５０】
この場合、管理サーバ１０は、上述したステップＳ９に代えて、イベントへの申込が出来ない旨の申込不可通知をユーザ端末２０に送信する（ステップＳ１１）。ユーザ端末２０は、申込不可通知を管理サーバ１０から受信すると、図１０に示すように、申し込みが出来ない理由を記載したポップアップ画面５１を含む申込不可画面ＧＡ５を表示する（ステップＳ１２）。
【００５１】
上述した実施形態によれば、プルダウンメニューＰＤを介して特定カテゴリーが選択されると（図５及び図６参照）、当該特定カテゴリーのイベントの予定日にイベント開催を示すアイコンが配置されたカレンダーＣＡが表示される（図７参照）。そして、カレンダーＣＡを介して一のイベントへの申し込みが受け付けられる。そのため、会員が開催予定のイベントの存在をリアルタイムに把握しつつ、所望のイベントへの参加申込を手軽に行うことが可能である。
【００５２】
また、上述した実施形態によれば、イベントの申込者の性別及び年齢が当該イベントに設定された性別指定及び年齢制限の双方を満たしたことを条件として、申し込みが完了するように構成されている。逆に言えば、イベントの申込者の性別及び年齢が当該イベントに設定された性別指定又は年齢制限を満たさない場合には、申し込みができない構成になっている。よって、イベントの参加者を事前に峻別し、開催されるイベントに相応しい参加者を集めることが可能である。
【００５３】
＜２．変形例＞
本発明によるイベント管理システムは上述の実施形態に限定されず、特許請求の範囲に記載した範囲で種々の変形や改良が可能である。
【００５４】
例えば、上述した実施形態では、イベント事業者が自ら企画運営するイベントに関する情報がイベント情報データベース１２に記録されている場合を例示したが、これに限定されない。イベント事業者とは別の事業者が企画するイベントに関する情報がイベント情報データベース１２に記録されるようにしてもよい。
【００５５】
具体的には、家電量販店チェーンが企画運営する広告イベントに関する情報を記録するようにしてもよく、或いは、日雇い業者が募集する日雇い業務に関する情報を記録するようにしてもよい。これにより、イベント管理アプリケーションＡＰを介してより多くのイベント（広告イベントや日雇い業務）に申し込みすることが可能である。
【００５６】
また、上述した実施形態では、カレンダーＣＡとして日曜始まりの月別カレンダーが表示される場合を例示したが、これに限定されず、週別カレンダーが表示されるようにしてもよい。その場合、月別カレンダーよりも１日ごとのスペースを大きく確保できるので、アイコンのみならずイベントの詳細を併せて表示するようにしてもよい。
【００５７】
また、上述した実施形態では、アイコンのタッチ操作に伴ってイベント管理アプリケーションＡＰが起動する場合を例示したが、これに限定されない。プッシュ通知に伴うメッセージ画面のタッチ操作に伴ってイベント管理アプリケーションＡＰが起動するようにしてもよい。
【００５８】
ここで、プッシュ通知は、管理サーバ１０によって各会員のユーザ端末２０（２０Ａ，２０Ｂ，２０Ｃ，・・・）に通知されるようにすればよい。具体的には、管理サーバ１０は、新規のイベント情報がイベント情報データベース１２に登録されたタイミングで、各会員のユーザ端末２０（２０Ａ，２０Ｂ，２０Ｃ，・・・）にプッシュ通知によって新規イベントを報知するようにすればよい。
【産業上の利用可能性】
【００５９】
以上のように本発明にかかるイベント管理システムはイベントのスケジュールを管理するのに適している。
【符号の説明】
【００６０】
１  イベント管理システム
１０  管理サーバ
１１  ユーザ情報データベース
１２  イベント情報データベース
２０  ユーザ端末
ＡＰ  イベント管理アプリケーション
ＣＡ  カレンダー
ＧＡ１  ホーム画面
ＧＡ２  イベント一覧画面
ＧＡ３  詳細画面
ＧＡ４  申込完了画面
ＧＡ５  申込不可画面
ＮＷ  通信ネットワーク
ＰＤ  プルダウンメニュー
【要約】
【課題】会員が開催予定のイベントの存在をリアルタイムに把握しつつ、所望のイベントへの参加申込を手軽に行うことが可能なイベント管理システムの提供。
【解決手段】イベント管理システム１は、ユーザ情報データベース１１とイベント情報データベース１２と管理サーバ１０と複数のユーザ端末２０（２０Ａ，２０Ｂ，２０Ｃ，…）とを備える。イベント情報データベース１２には、各イベントのカテゴリー、予定日、上限人数、申込人数及び申込済ユーザ識別情報がイベント情報として登録される。ユーザ端末２０は、イベントの予定日にイベント開催を示すアイコンが配置されたカレンダー画面を表示し、イベントへの申し込みが受け付けられると、イベントへの申込要求とユーザ識別情報とを管理サーバ１０に送信する。管理サーバ１０は、イベントの申込人数を更新し、申込済ユーザ識別情報にユーザ識別情報を追加する。
【選択図】図１【図１】
0006692483.tif 000002
【図２】
0006692483.tif 000003
【図３】
0006692483.tif 000004
【図４】
0006692483.tif 000005
【図５】
0006692483.tif 000006
【図６】
0006692483.tif 000007
【図７】
0006692483.tif 000008
【図８】
0006692483.tif 000009
【図９】
0006692483.tif 000010
【図１０】
0006692483.tif 000011